【手続補正書】
【提出日】平成20年10月20日(2008.10.20)
【手続補正１】
【補正対象書類名】特許請求の範囲
【補正対象項目名】全文
【補正方法】変更
【補正の内容】
【特許請求の範囲】
【請求項１】
ＨＣｌ、ＨＦ又はＨＢｒ及び１以上の他のガス状の成分を含むガス混合物を、ＨＣｌ、ＨＦ若しくはＨＢｒ又は該ガス混合物の少なくとも一つの他の成分を異なる程度吸収する１以上のイオン性液体と接触させる、該ガス混合物からＨＣｌ、ＨＦ又はＨＢｒを分離する方法。
【請求項２】
Ｃ（Ｏ）Ｆ2及びＨＣｌを含む混合物からＨＣｌが激減したＣ（Ｏ）Ｆ2を分離する請求項１に記載する方法であって、該混合物をＣ（Ｏ）Ｆ2及びＨＣｌを異なる程度吸収する１以上のイオン性液体と接触させる方法。
【請求項３】
前記イオン性液体のアニオンが、モノ−Ｃ１−Ｃ１２−アルキルサルフェートアニオンである事を特徴とする、請求項１又は２に記載する方法。
【請求項４】
前記イオン性液体が、アニオンｐ−トシレート、ｍ−トシレート、ｏ−トシレート及び／又はトリフレートを含む事を特徴とする、請求項１又は２に記載する方法。
【請求項５】
前記イオン性液体が、ｐ−トシレートアニオン、ｏ−トシレートアニオン及び／又はｍ−トシレートアニオンを有する少なくとも２つのイオン性液体の混合物、又はｐ−トシレートアニオン、ｏ−トシレートアニオン若しくはｍ−トシレートアニオンを有する１以上のイオン性液体と、他のアニオンを有する少なくとも一つのさらなるイオン性液体との混合物である事を特徴とする、請求項４に記載する方法。
【請求項６】
前記イオン性液体のカチオンが、１，３−ジメチルイミダゾリウム、１−エチル−３−メチルイミダゾリウム、１−プロピル−３−メチルイミダゾリウム又は１−ｎ−ブチル−３−メチルイミダゾリウムであることを特徴とする、請求項１に記載する方法。
【請求項７】
１−エチル−３−メチルイミダゾリウムエチルサルフェート、１−エチル−３−メチルイミダゾリウムトシレート、１−エチル−３−メチルイミダゾリウムトリフレート又はこれらの混合物がイオン性液体として使用され、該“トシレート”がｏ−トシレート、ｍ−トシレート又はｐ−トシレートである事を特徴とする、請求項６に記載する方法。
【請求項８】
前記イオン性液体と分離されるべき混合物との接触が、１０から８０℃の範囲における温度で、及び１０００から１００００Ｐａ（１から１０ｂａｒ）（絶対圧力）の圧力で行われることを特徴とする、請求項１に記載する方法。
【請求項９】
トリフレートイオン及びトシレートイオンを含むイオン性液体の混合物。
【請求項１０】
前記イオン性液体のカチオンが、１，３−ジメチルイミダゾリウム、１−エチル−３−メチルイミダゾリウム、１−プロピル−３−メチルイミダゾリウム及び１−ｎ−ブチル−３−メチルイミダゾリウムから選択されることを特徴とする、請求項９に記載する混合物。
【手続補正２】
【補正対象書類名】明細書
【補正対象項目名】００３７
【補正方法】変更
【補正の内容】
【００３７】
以下に、本発明の実施態様を説明する。
（１）ＨＣｌ、ＨＦ又はＨＢｒ及び１以上の他のガス状の成分を含むガス混合物を、ＨＣｌ、ＨＦ若しくはＨＢｒ又は該ガス混合物の少なくとも一つの他の成分を異なる程度吸収する１以上のイオン性液体と接触させる、該ガス混合物からＨＣｌ、ＨＦ又はＨＢｒを分離する方法。
（２）Ｃ（Ｏ）Ｆ2及びＨＣｌを含む混合物からＨＣｌが激減したＣ（Ｏ）Ｆ2を分離する上記（１）に記載する方法であって、該混合物をＣ（Ｏ）Ｆ2及びＨＣｌを異なる程度吸収する１以上のイオン性液体と接触させる方法。
（３）ＰＦ5及びＨＣｌを含んだ混合物からＨＣｌが激減したＰＦ5を分離する上記（１）に記載する方法であって、該混合物をＰＦ5及びＨＣｌを異なる程度吸収する１以上のイオン性液体と接触させる方法。
（４）カルボン酸フッ化物及びＨＣｌを含む混合物からＨＣｌが激減したカルボン酸フッ化物を分離する上記（１）に記載する方法であって、該混合物をカルボン酸フッ化物及びＨＣｌを異なる程度吸収する１以上のイオン性液体と接触させ、該混合物が同様に分離されるＨＦを含むことができる方法。
（５）カルボン酸フッ化物が、ＣＨ3Ｃ（Ｏ）Ｆ、ＣＨＦ2Ｃ（Ｏ）Ｆ、ＣＦ3Ｃ（Ｏ）Ｆ又はＣ2Ｆ5Ｃ（Ｏ）Ｆである事を特徴とする、上記（１）に記載する方法。
（６）ＨＣｌ若しくはＨＦよりもより強くカルボン酸フッ化物、Ｃ（Ｏ）Ｆ2若しくは５フッ化リンを吸収する１以上のイオン性液体を使用し、又はカルボン酸フッ化物、Ｃ（Ｏ）Ｆ2若しくは５フッ化リンよりもより強くＨＣｌ若しくはＨＦを吸収する１以上のイオン性液体を好ましく使用することを特徴とする、上記（２）から（５）のいずれか１つに記載する方法。
（７）カチオンにおいて窒素を含むイオン性液体を使用する事を特徴とする、上記（１）に記載する方法。
（８）２０より高いＥT（３０）の値を有し、かつ配位することが可能であるアニオンを有するイオン性液体を使用することを特徴とする、上記（１）に記載する方法。
（９）該イオン性液体のアニオンが、スルホネート、スルホンアミド又は多塩基酸のエステルアニオンである、上記（１）に記載する方法。
（１０）該アニオンが、モノアルキルサルフェートアニオン、モノアリールサルフェートアニオン、エステル化されたホスフェート又はホスホネートアニオンであり、該アルキル、アリール又はエステル基が、所望の場合、１以上のハロゲン原子、好ましくはフッ素原子により置換されても良い、上記（６）に記載する方法。
（１１）該アニオンが、モノ−Ｃ１−Ｃ１２−アルキルサルフェート、好ましくはＣ１−Ｃ４−モノアルキルサルフェートアニオンである事を特徴とする、上記（１０）に記載する方法。
（１２）該イオン性液体が、アニオンｐ−トシレート、ｍ−トシレート、ｏ−トシレート及び／又はトリフレートを含む事を特徴とする、上記（１０）に記載する方法。
（１３）該イオン性液体が、ｐ−トシレートアニオン、ｏ−トシレートアニオン及び／又はｍ−トシレートアニオンを有する少なくとも２つのイオン性液体の混合物、又はｐ−トシレートアニオン、ｏ−トシレートアニオン若しくはｍ−トシレートアニオンを有する１以上のイオン性液体と、他のアニオン、好ましくはトリフレートアニオンを有する少なくとも一つのさらなるイオン性液体との混合物である事を特徴とする、上記（１２）に記載する方法。
（１４）該カチオンが、イミダゾリウム、イミダゾリニウム、ピラゾリウム、オキサトリアゾリウム、チアトリアゾリウム、ピリジニウム、ピラジジニウム（ｐｙｒａｄｉｚｉｎｉｕｍ）、ピリミジニウム及びピラジニウム化合物の群に属する事を特徴とする、上記（７）に記載する方法。
（１５）該カチオンが、それぞれ１−２４個の炭素原子を有する、１、２又は３つの置換基で置換されたイミダゾリウムカチオンであり、該置換基が、例えばアリール基、例えばフェニルによりそれぞれ置換されても良い事を特徴とする、上記（１４）に記載する方法。
（１６）該カチオンが、１，３−ジメチルイミダゾリウム、１−エチル−３−メチルイミダゾリウム、１−プロピル−３−メチルイミダゾリウム又は１−ｎ−ブチル−３−メチルイミダゾリウムであることを特徴とする、上記（１５）に記載する方法。
（１７）１−エチル−３−メチルイミダゾリウムエチルサルフェート、１−エチル−３−メチルイミダゾリウムトシレート、１−エチル−３−メチルイミダゾリウムトリフレート又はこれらの混合物がイオン性液体として使用され、“トシレート”がｏ−トシレート、ｍ−トシレート又はｐ−トシレート、好ましくはｐ−トシレートである事を特徴とする、上記（１６）に記載する方法。
（１８）該イオン性液体に、処理されるべき混合物を、好ましくはガス状の形態で通過させる事を特徴とする、上記（１）に記載する方法。
（１９）該イオン性液体が、固定した形態において存在する事を特徴とする、上記（１１）に記載する方法。
（２０）該イオン性液体と分離されるべき混合物との接触が、１０から８０℃の範囲における温度で、及び１０００から１００００Ｐａ（１から１０ｂａｒ）（絶対圧力）の圧力で行われることを特徴とする、上記（１）に記載する方法。
（２１）イオン性液体中に吸収された成分が脱離されて、イオン性液体を回復し及び／又は吸収された成分を分離する事を特徴とする、上記（１）に記載する方法。
（２２）脱離が、減圧、温度の上昇及び／又は不活性ガスのイオン性液体の通過により行われることを特徴とする、上記（２１）に記載する方法。
（２３）Ｃ（Ｏ）Ｆ2の調製の目的のためのＣＨＣｌＦ2の光酸化から生じる混合物、又はＨＦを用いたリン−塩素のフッ素化反応から、特にリン（ＩＩＩ）塩化物若しくはリン（Ｖ）塩化物及びＨＦ及びさらに、適切な場合にはＣｌ2若しくはＦ2からのＰＦ5の調製から生じる混合物、又は２５℃及び１０００Ｐａ（１ｂａｒ）（絶対圧力）でガス状であるカルボン酸フッ化物を調製するための方法、特にクロロフルオロアルカンの光酸化又はＨＦを用いたカルボン酸塩化物のフッ素化を含む方法であって、該カルボン酸フッ化物が、好ましくはＣＨ3Ｃ（Ｏ）Ｆ、ＣＨＦ2Ｃ（Ｏ）Ｆ、ＣＦ3Ｃ（Ｏ）Ｆ若しくはＣ2Ｆ5Ｃ（Ｏ）Ｆである方法から生じる混合物が処理されることを特徴とする、上記（２）に記載する方法。
（２４）方法が回分式又は好ましくは連続的に行われることを特徴とする、上記（１）に記載する方法。
（２５）トリフレートイオン及びトシレートイオンを含むイオン性液体の混合物。
（２６）トシレートアニオン及びトリフレートアニオンを有するイオン性液体のモル比率が、３：７から７：３である、上記（２５）に記載する混合物。
（２７）該イオン性液体のカチオンが、異なり又は好ましくは同一であり、イミダゾリウム、イミダゾリニウム、ピラゾリウム、オキサトリアゾリウム、チアトリアゾリウム、ピリジニウム、ピラジジニウム（ｐｙｒａｄｉｚｉｎｉｕｍ）、ピリミジニウム及びピラジニウム化合物の群に属する事を特徴とする、上記（２５）又は（２６）に記載する混合物。
（２８）該イオン性液体のカチオンが、異なり又は好ましくは同一であり、１，３−ジメチルイミダゾリウム、１−エチル−３−メチルイミダゾリウム、１−プロピル−３−メチルイミダゾリウム及び１−ｎ−ブチル−３−メチルイミダゾリウムから選択されることを特徴とする、上記（２７）に記載する混合物。
（２９）トリフレート及びトシレートアニオンを有するイオン性液体の割合が、イオン性液体の合計量の少なくとも７５質量％、好ましくは１００質量％であることを特徴とする、上記（２５）に記載する混合物。